(57)【要約】      （修正有）【課題】偽造防止用シート及び真贋判定用制御システムに関し、安価かつ製造容易で偽造し難く、容易、確実に真贋判定を可能とする。【解決手段】シート基部１２上に、シート情報１４が設けられ、照合用磁性体部１３に、真の磁化パターンを記録させる第１磁性体部ａ２，ａ３，ｂ１，ｂ２，ｂ４，ｂ５，ｂ７，ｃ１，ｃ２，ｃ３，ｃ４，ｃ７を第１保磁力の磁性体材料で形成すると共に、各第１磁性体部の真の磁化パターンと相まって別の磁化パターンとさせる疑似の磁化パターンを記録させるための第２磁性体部ａ６，ａ７，ｂ３，ｂ６，ｃ５，ｃ６を当該第１保磁力より小の第２保磁力の磁性体材料で形成して当該各第１磁性体部と平面的に混在させて設ける構成とする。【選択図】図１
2010137529.tif 000002
【特許請求の範囲】
【請求項１】
真贋判定のために付帯されるシート情報と、
第１保磁力の磁性体材料で形成され、前記シート情報と対応する真の磁化パターン又は磁気情報を記録させるための所定数の第１磁性体部と、
前記第１保磁力より小の第２保磁力の磁性体材料により形成されて前記第１磁性体部と平面的に混在されて設けられるものであり、当該第１磁性体部の前記真の磁化パターン又は磁気情報と相まって別の磁化パターン又は磁気情報とさせる疑似の磁化パターン又は磁気情報を記録させるための所定数の第２磁性体部と、
を備えることを特徴とする偽造防止用シート。
【請求項２】
請求項１記載の偽造防止用シートであって、前記所定数の第１磁性体部には真の磁化パターン又は磁気情報が記録され、前記所定数の第２磁性体部には疑似の磁化パターン又は磁気情報が記録されていることを特徴とする偽造防止用シート。
【請求項３】
偽造防止用シートに形成された第１磁性体部及び第２磁性体部に対して少なくとも消去、読み込みを行わせる真贋判定用制御システムであって、
請求項２記載の偽造防止用シートの前記第１磁性体部及び第２磁性体部に対し、前記第１保磁力より小であり前記第２保磁力より大の保磁力に対応する磁界の強さで当該第２磁性体部の前記疑似の磁化パターン又は磁気情報のみを消去させる消去制御手段と、
前記消去制御手段により消去されなかった前記第１磁性体部の磁化パターン又は磁気情報を読み取らせる読込制御手段と、
前記読込制御手段により読み取った前記第１磁性体部の磁化パターン又は磁気情報と前記シート情報とに基づいて真贋を判定する判定手段と、
を有することを特徴とする真贋判定用制御システム。
【請求項４】
請求項３記載の真贋判定用制御システムであって、請求項１記載の偽造防止用シートの第１磁性体部及び第２磁性体部に対し、当該第１磁性体部の前記第１保磁力より大の保磁力に対応する磁界の強さで、前記真の磁化パターン又は磁気情報と前記疑似の磁化パターン又は磁気情報とを記録させる記録制御手段を備えることを特徴とする真贋判定用制御システム。
【発明の詳細な説明】
【技術分野】
【０００１】
本発明は、クレジットカードなどの各種カード、各種金券、各種チケット等のシートの磁気による偽造防止、真贋判定を行う偽造防止用シート及び真贋判定用制御システムに関する。
【背景技術】
【０００２】
近年、クレジットカードなどの各種カード、各種金券、各種チケット等のシートは、磁気記憶部を備えたシートではその内容情報を磁気データで記録しておくことが廉価であって普及しているが、磁気データは読み取りが容易で偽造し易いという側面がある。また、各種金券などの磁気記憶部を備えていないシートにおいては、複写などによる偽造を防止するための種々の光学的な模様等を施すことも行われている。
【０００３】
従来、磁気カードの偽造防止技術として、以下の特許文献で提案されているものがある。下記特許文献には、磁気カードに、保磁力の異なる第１、第２、第３の磁性層を順次積層するもので、保磁力を、第１の磁性層を高保磁力（２７５０（Ｏｅ：エルステッド、１エルステッド＝（１／４π）×１０3Ａ／ｍであり、以下「エルステッド」を単位とする））として第２の磁性層の低保磁力（１０００エルステッド）の２．５倍以上とすると共に、第３の磁性層に、上記第１及び第２の磁性層それぞれ別個に記録された信号磁界の干渉によって生じた磁界並びに配向磁界の影響により形成された磁性粒子の密度が不規則に異なる書き換え不能な固定パターンを記録することが提案されている。この固定パターンは第１及び第２の磁性層の信号を消去してから形成し、又は、第１及び第２の磁性層に対して記録されている信号を一旦消去してから新たな信号を書き込んでもよいことも提案されている。
【０００４】
【特許文献１】特開平１１−０４５４２８号公報
【発明の開示】
【発明が解決しようとする課題】
【０００５】
上記特許文献では、第３の磁性層に固定パターンを形成させるために第１の磁性層の形成、書き込み、続く第２の磁性層の形成、書き込み、さらに第３の磁性層の形成のように、そのための製造工程数や製造時間を必要とする。例えば、製造等を考慮して第１及び第２の磁性層のみの２層とした場合、高保磁力材料による第１の磁性層と低保磁力材料による第２の磁性層とは保磁力に２．５倍以上の差があるか否かに拘わらず容易に判別し易く、偽造し易くなるという問題がある。一方で、共に低保磁力の磁性層同士として保磁力に差を設けた場合には判別し難くなるが、反面、それぞれを判別して偽造防止の何らかの手法を施すことは、例えば振動型磁力計などにより磁気ヒステリシス測定でもしない限りは困難であり、このような磁気ヒステリシス測定は装置が高価かつ大掛かりとなって現実的でないという問題がある。
【０００６】
そこで、本発明は上記課題に鑑みなされたもので、安価かつ製造容易で偽造し難く、容易、確実に真贋判定を可能とする偽造防止用シート及び真贋判定用制御システムを提供することを目的とする。
【課題を解決するための手段】
【０００７】
上記課題を解決するために、請求項１の発明では、偽造防止用シートが、真贋判定のために付帯されるシート情報と、第１保磁力の磁性体材料で形成され、前記シート情報と対応する真の磁化パターン又は磁気情報を記録させるための所定数の第１磁性体部と、前記第１保磁力より小の第２保磁力の磁性体材料により形成されて前記第１磁性体部と平面的に混在されて設けられるものであり、当該第１磁性体部の前記真の磁化パターン又は磁気情報と相まって別の磁化パターン又は磁気情報とさせる疑似の磁化パターン又は磁気情報を記録させるための所定数の第２磁性体部と、を備える構成とする。
【０００８】
請求項２の発明では、請求項１記載の偽造防止用シートが、前記所定数の第１磁性体部には真の磁化パターン又は磁気情報が記録され、前記所定数の第２磁性体部には疑似の磁化パターン又は磁気情報が記録されている構成である。
【０００９】
請求項３の発明では、偽造防止用シートに形成された第１磁性体部及び第２磁性体部に対して少なくとも消去、読み込みを行わせる真贋判定用制御システムであって、請求項２記載の偽造防止用シートの前記第１磁性体部及び第２磁性体部に対し、前記第１保磁力より小であり前記第２保磁力より大の保磁力に対応する磁界の強さで当該第２磁性体部の前記疑似の磁化パターン又は磁気情報のみを消去させる消去制御手段と、前記消去制御手段により消去されなかった前記第１磁性体部の磁化パターン又は磁気情報を読み取らせる読込制御手段と、前記読込制御手段により読み取った前記第１磁性体部の磁化パターン又は磁気情報と前記シート情報とに基づいて真贋を判定する判定手段と、を有する構成とする。
【００１０】
請求項４の発明では、請求項３記載の真贋判定用制御システムが、請求項１記載の偽造防止用シートの第１磁性体部及び第２磁性体部に対し、当該第１磁性体部の前記第１保磁力より大の保磁力に対応する磁界の強さで、前記真の磁化パターン又は磁気情報と前記疑似の磁化パターン又は磁気情報とを記録させる記録制御手段を備える構成である。
【発明の効果】
【００１１】
請求項１，２の発明によれば、第１磁性体部を第１保磁力の磁性体材料で形成すると共に、第２磁性体部を第１保磁力より小の第２保磁力の磁性体材料で形成して第１磁性体部と平面的に混在させて設け、また、第１磁性体部にシート情報に対応する真の磁化パターン又は磁気情報を記録させ、第２磁性体部に第１磁性体部の真の磁化パターン又は磁気情報と相まって別の磁化パターン又は磁気情報とさせる疑似の磁化パターン又は磁気情報を記録させた構成とすることにより、保磁力の異なる磁性体部に対して疑似の磁化パターン又は磁気情報を消去させることで真の磁化パターン又は磁気情報を得ることが可能となることから、安価かつ製造容易で偽造し難く、容易、確実に真贋判定をさせることができるものである。
【００１２】
請求項３の発明によれば、第１磁性体部にシート情報と対応する真の磁化パターン又は磁気情報が記録され、第２磁性体部に疑似の磁化パターン又は磁気情報が記録された偽造防止用シートに対し、第１保磁力より小であり第２保磁力より大の保磁力に対応する磁界の強さで当該第２磁性体部の疑似の磁化パターン又は磁気情報のみを消去させ、消去されなかった第１磁性体部の磁化パターン又は磁気情報とシート情報に基づき真贋判定する構成とすることにより、保磁力の異なる磁性体部に対して疑似の磁化パターン又は磁気情報を消去させることで真の磁化パターン又は磁気情報が得られ、容易、確実に真贋判定をさせることができるものである。
【００１３】
請求項４の発明よれば、偽造防止用シートの第１磁性体部及び第２磁性体部に対し、当該第１磁性体部の第１保磁力より大の保磁力に対応する磁界の強さで、真の磁化パターン又は磁気情報と疑似の磁化パターン又は磁気情報とを記録させる構成とすることにより、真の及び疑似の磁化パターン又は磁気情報の記録、容易かつ確実に真贋判定をさせる消去、読み込みと共に一のシステムで行わせることを可能とさせることができるものである。
【発明を実施するための最良の形態】
【００１４】
以下、本発明の最良の実施形態を図により説明する。
図１に、本発明に係る偽造防止用シートの第１実施形態の構成図を示す。図１（Ａ）、（Ｂ）に示す偽造防止用シート１１において、シート基部１２上の、例えば右下部分に照合用磁性体部１３が設けられると共に、例えば左上部分にシート情報１４が例えば文字情報「Ａ００１」として印刷等により付帯される。ここでは、偽造防止用シート１１の構成を、一例として磁気記憶部を備えていない商品券などの金券に適用させる場合としている。
【００１５】
上記照合用磁性体部１３には、第１磁性体部ａ２，ａ３，ｂ１，ｂ２，ｂ４，ｂ５，ｂ７，ｃ１，ｃ２，ｃ３，ｃ４，ｃ７と第２磁性体部ａ６，ａ７，ｂ３，ｂ６，ｃ５，ｃ６とを平面的に混在させ、各第１磁性体部と各第２磁性体部との配置位置で、例えば３桁の数字パターンとして視認可能に設けたものである。この各第１磁性体部は全体で真の磁化パターンとして磁化（記録）させるためのものであり、各第２磁性体部は各第１磁性体部の真の磁化パターンと相まって別の磁化パターンとさせる疑似の磁化パターンを記録させるためのものである。すなわち、上記各第１磁性体部と各第２磁性体部との配置により真の磁化パターン及び疑似の磁化パターンが決定される。
【００１６】
また、上記各第１磁性体部は第１保磁力の磁性体材料で形成され、上記各第２磁性体部は当該第１保磁力より小の第２保磁力の磁性体材料で形成される。これら第１保磁力及び第２保磁力は、ＪＩＳ規格ＪＩＳＸ６３０２−６で規定されている高保磁力よりも低い保磁力の範囲内で設定させるのが好ましい。これは、上記規格に準拠して市販されているリーダライタにおいては保磁力の違いを判別することができず、偽造防止効果を発揮させることができるからである。例えば、第１保磁力を６５０エルステッドとし、第２保磁力を３２５エルステッドと設定する。上記第１保磁力とさせる磁性体材料としてはビデオテープのハイポジションタイプとして知られている例えばコバルト被着ガンマ酸化鉄が使用され、上記第２保磁力とさせる磁性体材料としてはノーマルタイプのビデオテープで知られている例えばガンマ酸化鉄が使用される。
【００１７】
これら第１保磁力及び第２保磁力の各第１磁性体部及び各第２磁性体部は、それぞれの磁性体材料をインキに混入させて例えばグラビアコートにより形成することができ、視覚的に数字パターン「４８８」として認識させる。ここでは、上記真の磁化パターンと疑似の磁化パターンとの全体では上記数字パターンと同様としている。
【００１８】
なお、上記第１保磁力及び第２保磁力を、当該高保磁力の範囲内で異ならせて設定させてもよい。上記低保磁力とＪＩＳ規格ＪＩＳＸ６３０２−６でいう高保磁力と混在させなければ、偽造防止効果は向上する。
【００１９】
続いて、図２に、本発明に係る偽造防止用シートを使用した真贋判定用制御システムのブロック構成図等を示す。この実施形態では、真贋判定用制御システムは図１に示す偽造防止用シート１１における照合用磁性体部１３の各第１磁性体部及び各第２磁性体部に対して記録（書き込み）をも行う場合として説明するが、当該記録と真贋判定とを別システムで行わせることとしてもよいことはもちろんである。
【００２０】
図２（Ａ）において、真贋判定用制御システム２１は、制御処理部２２にリーダライタ２３及び撮像カメラ２５が接続され、当該リーダライタ２３は磁化ユニット２４を備える。リーダライタ２３は、図１に示す偽造防止用シート１１における照合用磁性体部１３の各第１磁性体部及び各第２磁性体部に対して記録（書き込み）を行い、当該記録が行われた偽造防止用シート１１（図３）に対して当該各第１磁性体部の磁化パターンを読み取るもので、磁化ユニット２４を備える。当該磁化ユニット２４は、ここでは後述の図３，５に示すように各第１磁性体部及び第２磁性体部の配置位置に対応した５つの書き込み及び読み込み共通の磁気ヘッド（１〜５）、並びに消去のための消磁ヘッド（１〜５）で構成されるものとしている。
【００２１】
上記撮像カメラ２５は例えばＣＣＤカメラであり、図１に示す偽造防止用シート１１に印刷等されたシート情報１４を撮像し、例えばビットマップの撮像データを後述の撮像データ認識手段３７に送出する。この撮像カメラ２５は、例えばシート１１を搬送する搬送経路上にリーダライタ２３と共に配置されるが、上記リーダライタ２３内に設けることとしてもよい。
【００２２】
上記制御処理部２２は、制御手段３１、バス３２、インタフェース（ＩＦ）３３、ＲＡＭ３４、リード／ライト制御処理手段３５、消去制御手段３６、撮像データ認識手段３７及び判定手段３８を適宜備え、当該判定手段３８は照合テーブル３９を適宜備える。上記制御手段３１は、当該システムをアルゴリズム処理により統括的に制御するもので、そのためのプログラムが図示しないＲＯＭ等に備えられている。上記ＲＡＭ３５は、一時記憶のためのメモリであり、各種プログラムの作業領域となる半導体メモリや仮想的に設定されるハードディスクである。
【００２３】
上記リード／ライト制御処理手段３５は、リーダライタ２３に対して、読み込み、書き込み（記録）を指令するプログラムで、書き込みの場合には磁気ヘッドの記録磁界の強さを指定し、読み込みの場合には読み取った磁化の磁気データから磁化パターンを特定してデータ化する。当該リード／ライト制御処理手段３５は、記録制御手段及び読込制御手段を兼ねたもので、記録と真贋判定とを別システムで行わせる場合には、それぞれ別個のプログラムとなる。図１で説明した例として、各第１磁性体部が６５０エルステッドの保磁力の磁性体材料で形成され、各第２磁性体部が３２５エルステッドの保磁力の磁性体材料で形成された場合に、例えば１５００Ｇ（ガウス、１Ｇ＝１０-4Ｔ（テラス）であり、以下「Ｇ」を単位とする）で書き込みを行わせる。なお、ガウスとエルステッドの数値は同等と考えてよい。
【００２４】
すなわち、各第１磁性体部に対する書き込みが真の磁化パターンとなり、各第２磁性体部に対する書き込みが当該真の磁化パターンと相まって別の磁化パターンとさせる疑似の磁化パターンとなる。なお、書き込みについては図３で説明し、読み込みについては図５で説明する。
【００２５】
上記消去制御手段３６は、リーダライタ２３に対して、消去を指令するプログラムであり、消去時の磁界の強さを指定する。例えば、偽造防止用シート１１における第１保磁力である６５０エルステッドの磁性体材料で形成された各第１磁性体部の磁化（書き込み）に対して、また、第２保磁力である３２５エルステッドの磁性体材料で形成された各第２磁性体部の磁化に対して、第１保磁力より小であり第２保磁力より大の保磁力に対応する例えば４００Ｇの磁界の強さで磁化ユニット２４の各消磁ヘッドにより消去を行わせる。これによって、第１保磁力の各第１磁性体部の磁化は消去されず、第２保磁力の各第２磁性体部の磁化のみが消去されることとなる。なお、消去を行わせる磁界の強さ（ここでは４００Ｇ）をＩ、第１保磁力をＯｅ１、第２保磁力をＯｅ２としたときに、消去が第１保磁力の磁化に悪影響を及ぼさないように、Ｏｅ１＞＞Ｉ＞Ｏｅ２であることが好ましい。
【００２６】
上記画像データ認識手段３７は、撮像カメラ２５より送られてくる撮像データ（例えばビットマップデータ）を解析してデータとして認識を行うものであって、ここでは上記偽造防止用シート１１に印刷等されたシート情報１４をデジタルデータとして認識するプログラムである。上記撮像カメラ２５及び画像データ認識手段３７により情報認識手段を構成させる。
【００２７】
上記判定手段３８は、消去制御手段３６により各第２磁性体部の磁化が消去され、消去されなかった各第１磁性体部からリード／ライト制御処理手段３５（リーダライタ２３）が読み取った磁化パターンと上記画像データ認識手段３７により認識されたシート情報１４とに基づき照合テーブル３９を参照して真贋を判定するプログラムである。当該照合テーブル３９は、図２（Ｂ）に示すように、磁化パターンのデータとシート情報１４のデータとが関連付けられたもので、シート情報１４は画像データ認識手段３７により認識されて特定され、磁化パターンは各第２磁性体部の消去後に読み取られた各第１磁性体部の磁化状態から特定される。
【００２８】
ここで、図３に、図１のシートの照合用磁性体部への磁気記録の説明図を示す。図３において、上述のようにリーダライタ２３の磁化ユニット２４の各磁気ヘッド１〜５は、各第１磁性体部ａ２，ａ３，ｂ１，ｂ２，ｂ４，ｂ５，ｂ７，ｃ１，ｃ２，ｃ３，ｃ４，ｃ７、及び、各第２磁性体部ａ６，ａ７，ｂ３，ｂ６，ｃ５，ｃ６の配置位置に対応されており、リード／ライト制御処理手段３５からの書込指令（磁界の強さ１５００Ｇ）により、搬送されてきたシート１１に対して各磁気ヘッド１〜５が磁界の強さ１５００Ｇで各第１磁性体部と各第２磁性体部とを磁化する。
【００２９】
このような各第１磁性体部及び各第２磁性体部が磁化されたシート１１を、通常に市販されているリーダライタで読み込んだ場合には、各第１磁性体部と各第２磁性体部とを共に読み込んだ磁化パターン「４８８」のデータとして認識され、また、目視上においても「４８８」と視認されることから、偽造する者にとってそのままの偽造となる。
【００３０】
そこで、図４に図２の真贋判定用制御システムによる真贋判定の処理フローチャートを示すと共に、図５に図４における真贋判定処理の説明図を示す。図４において、図３のように各第１磁性体部及び各第２磁性体部が磁化されたシート１１が、リーダライタ２３内に送り込まれたときに、制御手段３１が消去制御手段３６に４００Ｇの磁界の強さでの消去を指令させる（ステップ（Ｓ）１）。この４００Ｇの消去磁界は、上記のように第１保磁力（６５０エルステッド）より小であり第２保磁力（３２５エルステッド）より大の保磁力に対応する磁界の強さである。
【００３１】
図５（Ａ）に示すように、磁化ユニット２４の各対応の消磁ヘッド１〜５が、磁化された各第１磁性体部と各第２磁性体部とに対して４００Ｇの磁界で消磁処理を行うと、第２保磁力（３２５エルステッド）の各第２磁性体部ａ６，ａ７，ｂ３，ｂ６，ｃ５，ｃ６の磁化は消去されるが、各第１磁性体部は第１保磁力が６５０エルステッドであることから磁化は消去されない。すなわち、各第２磁性体部の疑似の磁化パターンのみが消去される。
【００３２】
そこで、制御手段３１が、リード／ライト制御処理手段３５にリーダライタ２３に対する読み込みを指令させると共に、撮像データ認識手段３７に撮像カメラ２５に対するシート１１のシート情報１４の撮像を指令させる（Ｓ２）。リード／ライト制御処理手段３５では、図５（Ｂ）に示すように、磁化されている各第１磁性体部ａ２，ａ３，ｂ１，ｂ２，ｂ４，ｂ５，ｂ７，ｃ１，ｃ２，ｃ３，ｃ４，ｃ７のみが読み込まれて磁気データの磁化パターン「１２３」を特定し、また、撮像データ認識手段３７が撮像データからシート情報１４のデータを特定する（Ｓ３）。
【００３３】
続いて、判定手段３８が、磁化パターンのパターンデータ及びシート情報のデータに基づき、図２（Ｂ）に示す照合テーブル３９を参照して、一致するか否かを判定する（Ｓ４）。判定結果（Ｓ５）、不一致であれば［ＮＧ」と判定し（Ｓ６）、一致すれば「真正」と判定するものである（Ｓ７）。
【００３４】
このように、保磁力の異なる磁性体部に対して疑似の磁化パターンを消去させることで真の磁化パターンを得ることが可能となることから、安価かつ製造容易で偽造し難く、容易、確実に真贋判定を行うことができるものである。また、真及び疑似の磁化パターンの記録、容易かつ確実に真贋判定をさせる消去、読み込みを一のシステムで行わせることも可能とすることができるものである。
【００３５】
ところで、上記実施形態では、真贋判定を行うためのシート情報１４をシート基部１２上に形成した場合を示したが、例えばチケットや各種磁気カードのように、磁気媒体が設けられている場合には、当該磁気媒体上にシート情報のデータを記録させておき、真贋判定時にリード／ライト制御処理手段３５で読み込ませることとしてもよい。この場合には、リーダライタ２３にシート情報を書き込み、読み込ませる磁気ヘッド及び消磁ヘッドを設けるだけで、上記撮像カメラ２５、撮像データ認識手段３７及び照合テーブル３９を不要とさせることができる。このことは、以下の各実施形態においても同様である。
【００３６】
次に、図６に、本発明に係る偽造防止用シートの第２実施形態の構成説明図を示す。図６（Ａ）において、偽造防止用シート１１は、照合用磁性体部４１を、例えば５つの角形状（その形状を問わない）のマークとし、６５０エルステッドの第１磁性体部ｅ１〜ｅ３及び３２５エルステッドの第２磁性体部ｅ４，ｅ５として所望の間隔で平面的に混在させたもので、他の形態は図１と同様である。すなわち、各第１磁性体部及び各第２磁性体部ｅ１〜ｅ５のそれぞれの配置で真の磁化パターンと疑似の磁化パターンが決定される。
【００３７】
このような偽造防止用シート１１に対し、図６（Ｂ）に示すように、磁気ヘッド２４により各第１磁性体部及び各第２磁性体部ｅ１〜ｅ５に対して磁界の強さ１５００Ｇで書き込んで磁化する。すなわち、第１磁性体部ｅ１〜ｅ３の磁化が真の磁化パターンとなり、第２磁性体部ｅ４，ｅ５の磁化が疑似の磁化パターンとなる。
【００３８】
上記各第１磁性体部及び各第２磁性体部ｅ１〜ｅ５に磁化された偽造防止用シート１１の真贋判定時には、図６（Ｃ）に示すように、各第１磁性体部及び各第２磁性体部ｅ１〜ｅ５に対して磁化ユニット２４の消磁ヘッドにより磁界の強さ４００Ｇで消磁処理を行うことで第２磁性体部ｅ４，ｅ５のみが消去される。そして、図６（Ｄ）に示すように、各第１磁性体部及び各第２磁性体部ｅ１〜ｅ５に対して読み込みを行わせることで各第１磁性体部ｅ１〜ｅ３のみの磁気データによる磁化パターンが特定されるものである。
【００３９】
このように、第１磁性体部及び第２磁性体部を視覚上の数字や文字としなくとも実現することができるものである。
【００４０】
次に、図７に、本発明に係る偽造防止用シートの第３実施形態の構成説明図を示す。図７（Ａ）において、偽造防止用シート１１は、照合用磁性体部５１を、例えばテープ状とし、６５０エルステッドの第１磁性体部ｅ１〜ｅ３及び３２５エルステッドの第２磁性体部ｅ４，ｅ５を連続状として平面的に混在させたもので、他の形態は図１と同様である。すなわち、各第１磁性体部と各第２磁性体部ｅ１〜ｅ５のそれぞれの配置や長さで真の磁化パターンと疑似の磁化パターンが決定される。
【００４１】
例えば、図７(Ｂ)に示すように、各第１磁性体部と各第２磁性体部ｅ１〜ｅ５に対して磁気ヘッド２４により磁界の強さ１５００Ｇで一連に磁化する書き込みを行う。そして、図７(Ｃ)に示すように、各第１磁性体部と各第２磁性体部ｅ１〜ｅ５に対して磁化ユニット２４の消磁ヘッドにより磁界の強さ４００Ｇで消磁処理を行うことで第２磁性体部ｅ４，ｅ５のみの磁化が消去され、各第１磁性体部の磁化はそのままとされる。
【００４２】
そこで、図７（Ｄ）に示すように、各第１磁性体部及び各第２磁性体部ｅ１〜ｅ５に対して読み込みを行わせることで各第１磁性体部ｅ１〜ｅ３のみの磁気データによる磁化パターンが磁気ヘッド２４による磁化検出の長さ（検出波形の長さ）で各第１磁性体部ｅ１〜ｅ３の磁化パターンが特定されるものである。すなわち、消去以前の例えば偽造のための読み込みに対しては各第１磁性体部及び各第２磁性体部ｅ１〜ｅ５の総ての長さの磁化パターンとして認識されることから消去によって偽造防止、真贋判定が可能となるものである。
【００４３】
次に、図８に、本発明に係る偽造防止用シートの第４実施形態の構成説明図を示す。上記各実施形態は、第１磁性体部及び第２磁性体部で磁化パターンを形成させた場合を示したが、本実施形態では磁気情報とした場合を、図７の実施形態を用いて説明する。
【００４４】
図８（Ａ）において、偽造防止用シート１１は、テープ状の照合用磁性体部５１に、６５０エルステッドの第１磁性体部ｅ１〜ｅ３及び３２５エルステッドの第２磁性体部ｅ４，ｅ５を連続状として平面的に混在させることは図７（Ａ）と同様である。そして、図８（Ｂ）に示すように、各第１磁性体部ｅ１〜ｅ３に磁気情報（磁気データをとしてそれぞれ「１，２，３」）を書き込み、各第２磁性体部ｅ４，ｅ５に磁気情報（磁気データをとしてそれぞれ「４，５」）をそれぞれ書き込むものである。すなわち、第１磁性体部の磁気情報「１，２，３」が真の磁気情報となり、第２磁性体部の磁気情報「４，５」が疑似の磁気情報となる。
【００４５】
上記各第１磁性体部及び各第２磁性体部ｅ１〜ｅ５に磁気情報を形成されたシート１１の真贋判定時には、図８（Ｃ）に示すように、各第１磁性体部及び各第２磁性体部ｅ１〜ｅ５に対して磁界の強さ４００Ｇで一定の磁化方向で消去処理を行わせるもので、ここでは上記のように書き込み用の磁気ヘッドと、読み込み用の磁気ヘッドを別として書き込み用の磁気ヘッドで各第１磁性体部に影響を与えずに第２磁性体部ｅ４，ｅ５の一の磁化方向として磁気データのみを消去させる。すなわち、第２磁性体部ｅ４，ｅ５の磁気データは磁気情報として意味をなさなくなる。そして、図８（Ｄ）に示すように、各第１磁性体部及び各第２磁性体部ｅ１〜ｅ５に対して読み込みを行わせることで各第１磁性体部ｅ１〜ｅ３のみの磁気情報が特定されるものである。
【００４６】
なお、真贋判定用の磁気情報をテープ状の照合用磁性体部５１に記録した場合を示したが、図１〜図６についても適用することができる。例えば、アジマス記録方式を用いれば、図１や図６に示すような幅の狭い磁性体部にも磁気情報を記録することができるものである。
【産業上の利用可能性】
【００４７】
本発明の偽造防止用シート及び真贋判定用制御システムは、クレジットカードなどの各種カード、各種金券、各種チケット等のシートに対する磁気による偽造防止技術、真贋判定技術に利用可能である。
【図面の簡単な説明】
【００４８】
【図１】本発明に係る偽造防止用シートの第１実施形態の構成図である。
【図２】本発明に係る偽造防止用シートを使用した真贋判定用制御システムのブロック構成図等である。
【図３】図１のシートの照合用磁性体部への磁気記録の説明図である。
【図４】図２の真贋判定用制御システムによる真贋判定の処理フローチャートである。
【図５】図４における真贋判定処理の説明図である。
【図６】本発明に係る偽造防止用シートの第２実施形態の構成説明図である。
【図７】本発明に係る偽造防止用シートの第３実施形態の構成説明図である。
【図８】本発明に係る偽造防止用シートの第４実施形態の構成説明図である。である。
【符号の説明】
【００４９】
１１              偽造防止用シート
１２              シート基部
１３，４１，５１  照合用磁性体部
１４              シート情報
２３              リーダライタ
２４              磁化ユニット
３５              リード／ライト制御処理手段
３６              消去制御手段
３７              撮像データ認識手段
３８              判定手段
３９              照合テーブル
【図１】
2010137529.tif 000003
【図２】
2010137529.tif 000004
【図３】
2010137529.tif 000005
【図４】
2010137529.tif 000006
【図５】
2010137529.tif 000007
【図６】
2010137529.tif 000008
【図７】
2010137529.tif 000009
【図８】
2010137529.tif 000010